(57)【要約】 【課題】  複数の太陽電池モジュールが装着体を介して連結されて形成される太陽電池ユニットと、電力供給先とを個別に電気的に接続でき、配線を容易にできる太陽電池の接続方法および太陽電池ユニットを提供する。【解決手段】    複数の太陽電池モジュール２が装着体３を介して連結されて形成される太陽電池ユニット１を飛行船２０の外皮２１に取付ける前に、太陽電池ユニット１の縁辺部の１箇所に外部接続コネクタ１４を設け、各太陽電池モジュール２と外部接続コネクタ１４とを電気的に接続し、複数の太陽電池ユニット１を飛行船２０の外皮２１に取付た後に、各太陽電池ユニット１の外部接続コネクタ１４と電源装置１８とを電気的に接続する。【選択図】      図５６
2005064368.tif 000002
【特許請求の範囲】
【請求項１】
複数の太陽電池モジュールが装着体を介して連結されて形成される太陽電池ユニットを飛行船の外皮に取付ける前に、太陽電池ユニットの縁辺部の１箇所に外部接続コネクタを設け、各太陽電池モジュールと外部接続コネクタとを電気的に接続する内部接続工程と、
複数の太陽電池ユニットを飛行船の外皮に取付た後に、各太陽電池ユニットの外部接続コネクタと電力供給先とを電気的に接続する外部接続工程とを含むことを特徴とする太陽電池の接続方法。
【請求項２】
内部接続工程において、各太陽電池モジュールが付き合わされる領域に内部接続線を配置して、内部接続線と外部接続コネクタとを電気的に接続することで、各太陽電池モジュールと外部接続コネクタとを電気的に接続することを特徴とする請求項１記載の太陽電池の接続方法。
【請求項３】
外部接続工程において、各太陽電池ユニットが付き合わされる領域に外部接続線を配置して、外部接続線と電力供給先とを電気的に接続することで、各太陽電池ユニットと電力供給先とを電気的に接続することを特徴とする請求項１または２記載の太陽電池の接続方法。
【請求項４】
複数の太陽電池モジュールが装着体を介して連結されて形成される太陽電池ユニットであって、
縁辺部の１箇所に設けられる外部接続コネクタと、
各太陽電池モジュールと、外部接続コネクタとを電気的に接続する内部接続線とを含むことを特徴とする太陽電池ユニット。
【発明の詳細な説明】
【技術分野】
【０００１】
本発明は、飛行船に連結される太陽電池の接続方法および太陽電池ユニットに関する。
【背景技術】
【０００２】
飛行船は、機体を構成する外皮内に浮揚ガスを収納し、この浮揚ガスによる浮力によって、空中に浮遊しており、浮揚ガスの体積を制御することによって、高度を制御することができる。
【０００３】
従来技術として、複数の太陽電池ユニットを固定する弾性支持体の前部、後部および両側部に複数の支持体コネクタを設け、前記弾性支持体を、前記支持体コネクタを介して取外し可能に相互に連結して太陽電池拡張モジュールを形成し、前記太陽電池拡張モジュールを、前記弾性支持体が飛行船の外皮に直接に固定されることなく、前記外皮を覆うようにこの外皮に装着することによって、太陽電池拡張モジュールを外皮に装着する飛行船用太陽電池装着機構がある（たとえば特許文献１参照）。この飛行船用太陽電池装着機構では、複数の太陽電池ユニットから成る各太陽電池モジュールは、予め定める一方向に隣り合う太陽電池モジュールを電気的に接続するコネクタを介して電気的に直列接続されて、各太陽電池モジュールで発電された電力が外部に出力される。
【０００４】
【特許文献１】特開平６−１６３９６４号公報
【発明の開示】
【発明が解決しようとする課題】
【０００５】
前述の従来技術のように、各太陽電池モジュールがコネクタを介して電気的に直列接続されていると、直列接続されているいずれかの太陽電池モジュールが破損したりすると、その直列接続されている他の太陽電池モジュールで発電された電力が出力されなくなる。
【０００６】
本発明の目的は、複数の太陽電池モジュールが装着体を介して連結されて形成される太陽電池ユニットと、電力供給先とを個別に電気的に接続でき、配線を容易にできる太陽電池の接続方法および太陽電池ユニットを提供することである。
【課題を解決するための手段】
【０００７】
本発明は、複数の太陽電池モジュールが装着体を介して連結されて形成される太陽電池ユニットを飛行船の外皮に取付ける前に、太陽電池ユニットの縁辺部の１箇所に外部接続コネクタを設け、各太陽電池モジュールと外部接続コネクタとを電気的に接続する内部接続工程と、
複数の太陽電池ユニットを飛行船の外皮に取付た後に、各太陽電池ユニットの外部接続コネクタと電力供給先とを電気的に接続する外部接続工程とを含むことを特徴とする太陽電池の接続方法である。
【０００８】
また本発明は、内部接続工程において、各太陽電池モジュールが付き合わされる領域に内部接続線を配置して、内部接続線と外部接続コネクタとを電気的に接続することで、各太陽電池モジュールと外部接続コネクタとを電気的に接続することを特徴とする。
【０００９】
また本発明は、外部接続工程において、各太陽電池ユニットが付き合わされる領域に外部接続線を配置して、外部接続線と電力供給先とを電気的に接続することで、各太陽電池ユニットと電力供給先とを電気的に接続することを特徴とする。
【００１０】
また本発明は、複数の太陽電池モジュールが装着体を介して連結されて形成される太陽電池ユニットであって、
縁辺部の１箇所に設けられる外部接続コネクタと、
各太陽電池モジュールと、外部接続コネクタとを電気的に接続する内部接続線とを含むことを特徴とする太陽電池ユニットである。
【発明の効果】
【００１１】
本発明によれば、内部接続工程では、複数の太陽電池モジュールが装着体を介して連結されて形成される太陽電池ユニットを飛行船の外皮に取付ける前に、太陽電池ユニットの縁辺部の１箇所に外部接続コネクタが設けられ、各太陽電池モジュールと外部接続コネクタとが電気的に接続される。これによって各太陽電池モジュールと外部接続コネクタとの電気的に接続する作業を、飛行船とは独立した場所、たとえば地上で行うことができるので、作業を容易に行うことができる。外部接続工程では、複数の太陽電池ユニットを飛行船の外皮に取付た後に、各太陽電池ユニットの外部接続コネクタと電力供給先とが電気的に接続される。太陽電池ユニットの縁辺部の１箇所に外部接続コネクタが設けられるので、各太陽電池ユニットと電力供給先とを電気的に接続するときに、太陽電池ユニットと電力供給先とを個別に電気的に接続することができるとともに、配線を容易に行うことができる。したがって太陽電池ユニットが飛行船の外皮に取付けられる状態であっても、各太陽電池ユニットと電力供給先とを容易に電気的に接続することができ、作業性が向上する。また太陽電池ユニット単位の性能試験をたとえば地上で行うことができ、作業性が向上する。
【００１２】
また本発明によれば、内部接続工程では、各太陽電池モジュールが付き合わされる領域に内部接続線が配置され、内部接続線と外部接続コネクタとを電気的に接続されて、各太陽電池モジュールと外部接続コネクタとが電気的に接続される。内部接続線は、各太陽電池モジュールが付き合わされる領域に配置されるので、内部接続線が、たとえば太陽電池モジュールの表面に当接するなどして、太陽電池モジュールの発電能力を低下させることを防止することができる。
【００１３】
また本発明によれば、外部接続工程では、各太陽電池ユニットが付き合わされる領域に外部接続線が配置されて、外部接続線と電力供給先とが電気的に接続されることで、各太陽電池ユニットと電力供給先とが電気的に接続される。外部接続線は、各太陽電池ユニットが付き合わされる領域に外部接続線が配置されるので、外部接続線が、たとえば太陽電池ユニットの表面に当接するなどして、太陽電池ユニットの発電能力を低下させることを防止することができる。
【００１４】
また本発明によれば、複数の太陽電池モジュールが装着体を介して連結されて形成される太陽電池ユニットであって、縁辺部の１箇所に設けられる外部接続コネクタと、各太陽電池モジュールと、外部接続コネクタとを電気的に接続する内部接続線とを含む。外部接続コネクタは、太陽電池ユニットの縁辺部の１箇所に設けられるので、各太陽電池モジュールと外部接続コネクタとは内部接続線によって電気的に接続されるので、各太陽電池モジュールからの電力を１つの外部接続コネクタから出力することができる。たとえば複数の太陽電池ユニットを電気的に接続する場合には、各太陽電池ユニットの外部接続コネクタを個別に電気的に接続すればよく、容易に接続作業を行うことができる。また飛行船の外皮に複数の太陽電池ユニットが取付けられた場合、複数の太陽電池モジュールが太陽電池ユニットとなってまとめられているので、太陽電池の性能管理において、太陽電池ユニット単位で接続制御および性能チェックを行うことができる。
【発明を実施するための最良の形態】
【００１５】
図１は、太陽電池ユニット１を示す平面図である。図２は、太陽電池モジュール２および装着体３を示す平面図である。太陽電池ユニット１は、図２に示すように、複数、本実施の形態では１５個の太陽電池モジュール２がマトリクス状に配置されて、装着体３を介して連結されて形成される。装着体３は、たとえば布およびフィルムなどの材料から成り、格子状に形成される。
【００１６】
図３は、太陽電池モジュール２を示す平面図である。図４は、太陽電池モジュール２を示す断面図である。太陽電池モジュール２は、複数の太陽電池セルを有する長方形の板状の太陽電池モジュール本体４と、複数の係止片５と、太陽電池モジュール本体４によって発電された電力を出力する出力導線６とを含む。太陽電池モジュール本体（以後「モジュール本体」と略して表記することがある）４は、太陽電池セル７、保護フィルム８および断熱材９を含む。太陽電池セル７は、保護フィルム８によって保護されている。保護フィルム８は、たとえばＦＥＰフィルムであってもよい。断熱材９は、発泡性の材料から成る。モジュール本体４の厚み方向寸法は、たとえば１０ミリメートル程度であってもよく、太陽電池セル７の厚み方向寸法は、たとえば６０マイクロメートルであってもよく、保護フィルム８の厚み方向寸法は、たとえば４５マイクロメートル程度であってもよく、断熱材９の厚み方向寸法は、たとえば７ミリメートル程度であってもよい。
【００１７】
係止片５は、１つの太陽電池モジュール２において、本実施の形態では４個設けられ、太陽電池モジュール本体４の各角部に１個ずつ設けられる。出力導線６の一端部には、後述する内部接続コネクタ１０が設けられる。
【００１８】
図５は、第１の太陽電池の連結構造の係止片５１Ａ，５２Ａ，５３Ａ，５４Ａを含む太陽電池モジュール２Ａを示す平面図である。図６は、第１係止片５１Ａを示す平面図である。図７は、第２係止片５２Ａを示す平面図である。図８は、第３係止片５３Ａを示す平面図である。図９は、第４係止片５４Ａを示す平面図である。第１係止片５１Ａは、モジュール本体４の４つの角部のうちの１つである第１角部４１に設けられる。第２係止片５２Ａは、第１角部４１に連なる一方の辺に連なる第２角部４２に設けられる。第３係止片５３Ａは、第１角部４１に連なる他方の辺に連なる第３角部４３に設けられる。第４係止片５４Ａは、第１角部４１とは対角をなす第４角部４４に設けられる。
【００１９】
図６に示す第１係止片５１Ａは、平板状に形成され、接合部５１ａおよび係止部５１ｂが設けられる。第１係止片５１Ａの厚み方向の寸法は、たとえば１ミリメートルであってもよい。接合部５１ａは、大略的に二等辺直角三角形状に形成され、モジュール本体４の第１角部４１の断熱材９に全面にわたって接合される。係止部５１ｂは、第１係止片５１Ａがモジュール本体４に接合されている状態では、モジュール本体４から露出するように突出している。係止部５１ｂの突出方向は、第１係止片５１Ａがモジュール本体４に接合されている状態で、モジュール本体４の第１角部４１から第２角部４２に向かう方向とは１３５度をなし、かつ第１角部４１から第３角部４３に向かう方向とは１３５度をなす方向である。係止部５１ｂには、厚み方向に貫通する係止孔５１ｃが形成される。係止孔５１ｃの内径は、たとえば３ミリメートルであってもよい。
【００２０】
図７に示す第２係止片５２Ａは、平板状に形成され、接合部５２ａおよび係止部５２ｂが設けられる。第２係止片５２Ａの厚み方向の寸法は、たとえば１ミリメートルであってもよい。接合部５２ａは、大略的に二等辺直角三角形状に形成され、モジュール本体４の第２角部４２の断熱材９に全面にわたって接合される。係止部５２ｂは、第２係止片５２Ａがモジュール本体４に接合されている状態では、モジュール本体４から露出するように突出している。係止部５２ｂの突出方向は、第２係止片５２Ａがモジュール本体４に接合されている状態で、モジュール本体４の第２角部４２から第１角部４１に向かう方向とは１３５度をなし、かつ第２角部４２から第４角部４４に向かう方向とは１３５度をなす方向である。係止部５２ｂには、厚み方向に貫通する係止孔５２ｃが形成される。係止孔５２ｃは、モジュール本体４の第１角部４１から第２角部４２に向かう方向に沿って延びる長円形状に形成され、係止孔５２ｃの長径は、たとえば１３ミリメートルであってもよく、係止孔５２ｃの短径は、第１係止片５１Ａの係止孔５１ｃの内径と等しく設定され、たとえば３ミリメートルであってもよい。
【００２１】
図８に示す第３係止片５３Ａは、平板状に形成され、接合部５３ａおよび係止部５３ｂが設けられる。第３係止片５３Ａの厚み方向の寸法は、たとえば１ミリメートルであってもよい。接合部５３ａは、大略的に二等辺直角三角形状に形成され、モジュール本体４の第３角部４３の断熱材９に全面にわたって接合される。係止部５３ｂは、第３係止片５３Ａがモジュール本体４に接合されている状態では、モジュール本体４から露出するように突出している。係止部５３ｂの突出方向は、第３係止片５３Ａがモジュール本体４に接合されている状態で、モジュール本体４の第１角部４１から第３角部４３に向かう方向に沿う方向である。係止部５３ｂには、厚み方向に貫通する係止孔５３ｃが形成される。係止孔５３ｃの内径は、第１係止片５１Ａの係止孔５１ｃの内径よりも大きく設定され、たとえば６ミリメートルであってもよい。
【００２２】
図９に示す第４係止片５４Ａは、平板状に形成され、接合部５４ａおよび係止部５４ｂが設けられる。第４係止片５４Ａの厚み方向の寸法は、たとえば１ミリメートルであってもよい。接合部５４ａは、大略的に二等辺直角三角形状に形成され、モジュール本体４の第４角部４４の断熱材９に全面にわたって接合される。係止部５４ｂは、第４係止片５４Ａがモジュール本体４に接合されている状態では、モジュール本体４から露出するように突出している。係止部５４ｂの突出方向は、第４係止片５４Ａがモジュール本体４に接合されている状態で、モジュール本体４の第２角部４２から第４角部４４に向かう方向に沿う方向である。係止部５４ｂには、厚み方向に貫通する係止孔５４ｃが形成される。係止孔５４ｃの内径は、第３係止片５３Ａの係止孔５３ｃの内径と等しく設定され、たとえば６ミリメートルであってもよい。
【００２３】
第１〜第４係止片５１Ａ〜５４Ａは、断熱材９に、たとえば接着剤によって接合される。また、このように第１〜第４係止片５１Ａ〜５４Ａと断熱材９とを接着した後に、さらに保護フィルム８を断熱材９側に延長して、第１〜第４係止片５１Ａ〜５４Ａと保護フィルム８とを接着するようにしてもよい。
【００２４】
図１０は、図５に示す太陽電池モジュール２Ａを装着体３に連結して形成した太陽電池ユニット１Ａを示す平面図である。図１１は、図１０のセクションＸＩを拡大して示す平面図である。図１２は、図５に示す太陽電池モジュール２Ａを装着体３に連結するときの説明をするための斜視図である。図１０に示す太陽電池ユニット１Ａにおいて、複数、本実施の形態では１５個の太陽電池モジュール２Ａは、予め定める第１方向Ａ１に５個並列し、前記第１方向Ａ１とは異なる方向、本実施の形態では、第１方向Ａ１に垂直な方向である第２方向Ａ２に３個並列し、モジュール本体４の長手方向が第２方向Ａ２に沿うとともに、モジュール本体４の幅方向が第１方向Ａ１に沿うように配置されて、格子状に形成される装着体３に連結される。
【００２５】
このとき隣接する４個の太陽電池モジュール２Ａにおいて、図１１に示すように、第２方向Ａ２上流側に配置され第１方向Ａ１に隣接する２つの太陽電池モジュール２Ａのうち、第１方向Ａ１上流側に配置される太陽電池モジュール２Ａの第４係止片５４Ａの係止部５４ｂが、当該太陽電池モジュール２Ａの第２方向Ａ２下流側に隣接する太陽電池モジュール２Ａの第２角部４２と、装着体３とによって挟持される。また前述の第２方向Ａ２上流側に配置され第１方向Ａ１に隣接する２つの太陽電池モジュール２Ａのうち、第１方向Ａ１下流側に配置される太陽電池モジュール２Ａの第３係止片５３Ａの係止部５３ｂが、当該太陽電池モジュール２Ａの第２方向Ａ２下流側に隣接する太陽電池モジュール２Ａの第１角部４１と、装着体３とによって挟持される。これによって太陽電池モジュール２Ａの第３係止片５３Ａおよび第４係止片５４Ａは、装着体３に完全に固定されないで係止されている。
【００２６】
また装着体３と協働して第２方向Ａ２上流側の太陽電池モジュール２Ａの第４係止片５４Ａの係止部５４ｂを挟持している太陽電池モジュール２Ａの第２係止片５２Ａの係止部５２ｂは、当該太陽電池モジュール２Ａの第１方向Ａ１下流側に隣接する太陽電池モジュール２Ａの第１係止片５１Ａの係止部４１と、装着体３とによって挟持される。このとき図１２に示すように、装着体３に設けられる係止紐１１を、太陽電池モジュール２Ａの第２係止片５２Ａの係止孔５２ｃを挿通し、装着体３と協働して当該第２係止片５２Ａの係止部５２ｂを挟持する第１係止片５１Ａの係止部５１ｂに括りつける。これによって係止紐１１が括りつけられる第１係止片５１Ａは、装着体に対して変位することを規制される。また第２係止片５２Ａは、第１方向Ａ１に延びる長円形状の係止孔５２ｃに係止紐１１が挿通されるので、第２係止片５２Ａは、装着体３に対して、第１方向Ａ１の変位を許容される。
【００２７】
以上のように太陽電池モジュール２Ａは、第１係止片５１Ａだけが装着体３に対して変位を規制されて係止され、第２係止片５２Ａは、第１方向Ａ１への変位を許容されて係止され、第３および第４係止片５３Ａ，５４Ａは、第１方向Ａ１および第２方向Ａ２への変位を許容されて係止される。これによって隣接する太陽電池モジュール２Ａが互いに、第１方向Ａ１および第２方向Ａ２に変位することが許容される。
【００２８】
図１３は、第２の太陽電池の連結構造の係止片５１Ｂ，５２Ｂ，５３Ｂ，５４Ｂを含む太陽電池モジュール２Ｂを示す平面図である。図１４は、第１係止片５１Ｂを示す平面図である。図１５は、第２係止片５２Ｂを示す平面図である。図１６は、第３係止片５３Ｂを示す平面図である。図１７は、第４係止片５４Ｂを示す平面図である。第１係止片５１Ｂは、モジュール本体４の４つの角部のうちの１つである第１角部４１に設けられる。第２係止片５２Ｂは、第１角部４１に連なる一方の辺に連なる第２角部４２に設けられる。第３係止片５３Ｂは、第１角部４１に連なる他方の辺に連なる第３角部４３に設けられる。第４係止片５４Ｂは、第１角部４１とは対角をなす第４角部４４に設けられる。
【００２９】
図１４に示す第１係止片５１Ｂは、平板状に形成され、接合部５１ａおよび係止部５１ｂが設けられる。第１係止片５１Ｂの厚み方向の寸法は、たとえば１ミリメートルであってもよい。接合部５１ａは、大略的に二等辺直角三角形状に形成され、モジュール本体４の第１角部４１の断熱材９に全面にわたって接合される。係止部５１ｂは、第１係止片５１Ｂがモジュール本体４に接合されている状態では、モジュール本体４から露出するように突出している。係止部５１ｂの突出方向は、第１係止片５１Ｂがモジュール本体４に接合されている状態で、モジュール本体４の第１角部４１から第２角部４２に向かう方向とは１３５度をなし、かつ第１角部４１から第３角部４３に向かう方向とは１３５度をなす方向である。係止部５１ｂには、厚み方向に貫通する係止孔５１ｃが形成される。係止孔５１ｃの内径は、たとえば３ミリメートルであってもよい。
【００３０】
図１５に示す第２係止片５２Ｂは、平板状に形成され、接合部５２ａおよび係止部５２ｂが設けられる。第２係止片５２Ｂの厚み方向の寸法は、たとえば１ミリメートルであってもよい。接合部５２ａは、大略的に二等辺直角三角形状に形成され、モジュール本体４の第２角部４２の断熱材９に全面にわたって接合される。係止部５２ｂは、第２係止片５２Ｂがモジュール本体４に接合されている状態では、モジュール本体４から露出するように突出している。係止部５２ｂの突出方向は、第２係止片５２Ｂがモジュール本体４に接合されている状態で、モジュール本体４の第２角部４２から第１角部４１に向かう方向とは１３５度をなし、かつ第２角部４２から第４角部４４に向かう方向とは１３５度をなす方向である。係止部５２ｂには、厚み方向に貫通する係止孔５２ｃが形成される。係止孔５２ｃは、モジュール本体４の第１角部４１から第２角部４２に向かう方向に沿って延びる長円形状に形成され、係止孔５２ｃの長径は、たとえば１３ミリメートルであってもよく、係止孔５２ｃの短径は、第１係止片５１Ｂの係止孔５１ｃの内径と等しく設定され、たとえば３ミリメートルであってもよい。
【００３１】
図１６に示す第３係止片５３Ｂは、平板状に形成され、接合部５３ａおよび係止部５３ｂが設けられる。第３係止片５３Ｂの厚み方向の寸法は、たとえば１ミリメートルであってもよい。接合部５３ａは、大略的に二等辺直角三角形状に形成され、モジュール本体４の第３角部４３の断熱材９に全面にわたって接合される。係止部５３ｂは、第３係止片５３Ｂがモジュール本体４に接合されている状態では、モジュール本体４から露出するように突出している。係止部５３ｂの突出方向は、第３係止片５３Ｂがモジュール本体４に接合されている状態で、モジュール本体４の第３角部４３から第１角部４１に向かう方向とは１３５度をなし、かつ第３角部４３から第４角部４４に向かう方向とは１３５度をなす方向である。係止部５３ｂには、厚み方向に貫通する係止孔５３ｃが形成される。係止孔５３ｃは、モジュール本体４の第１角部４１から第３角部４３に向かう方向に沿って延びる長円形状に形成され、係止孔５３ｃの長径は、たとえば１３ミリメートルであってもよく、係止孔５３ｃの短径は、第１係止片５１Ｂの係止孔５１ｃの内径と等しく設定され、たとえば３ミリメートルであってもよい。
【００３２】
図１７に示す第４係止片５４Ｂは、平板状に形成され、接合部５４ａおよび係止部５４ｂが設けられる。第４係止片５４Ｂの厚み方向の寸法は、たとえば１ミリメートルであってもよい。接合部５４ａは、大略的に二等辺直角三角形状に形成され、モジュール本体４の第４角部４４の断熱材９に全面にわたって接合される。係止部５４ｂは、第４係止片５４Ｂがモジュール本体４に接合されている状態では、モジュール本体４から露出するように突出している。係止部５４ｂの突出方向は、第４係止片５４Ｂがモジュール本体４に接合されている状態で、モジュール本体４の第４角部４４から第３角部４３に向かう方向とは１３５度をなし、かつ第４角部４４から第２角部４２に向かう方向とは１３５度をなす方向である。係止部５４ｂには、厚み方向に貫通する係止孔５４ｃが形成される。係止孔５４ｃの内径は、第１係止片５１Ｂの係止孔５１ｃの内径よりも大きく設定され、たとえば６．５ミリメートルであってもよい。
【００３３】
図１８は、図１３に示す太陽電池モジュール２Ｂを装着体３に連結して形成した太陽電池ユニット１Ｂを示す平面図である。図１９は、図１８のセクションＩＸＸを拡大して示す平面図である。図１８に示す太陽電池ユニット１Ｂにおいて、複数、本実施の形態では１５個の太陽電池モジュール２Ｂは、予め定める第１方向Ａ１に５個並列し、前記第１方向Ａ１とは異なる方向、本実施の形態では、第１方向Ａ１に垂直な方向である第２方向Ａ２に３個並列し、モジュール本体４の長手方向が第２方向Ａ２に沿うとともに、モジュール本体４の幅方向が第１方向Ａ１に沿うように配置されて、格子状に形成される装着体３に連結される。
【００３４】
このとき隣接する４個の太陽電池モジュール２Ｂにおいて、図１９に示すように、第２〜第４係止片５２Ｂ，５３Ｂ，５４Ｂの係止部５２ｂ，５３ｂ，５４ｂが、第１係止片５１Ｂの係止部５１ｂと装着体３とによって挟持される。このとき装着体３に設けられる係止紐（図示せず）を、太陽電池モジュール２Ｂの第２〜第４係止片５２Ｂ，５３Ｂ，５４Ｂの係止孔５２ｃ，５３ｃ，５４ｃを挿通し、装着体３と協働して第２〜第４係止片５２Ｂ，５３Ｂ，５４Ｂの係止部５２ｂ，５３ｂ，５４ｂを挟持する第１係止片５１Ｂの係止部５１ｂに括りつける。これによって係止紐が括りつけられる第１係止片５１Ｂは、装着体に対して変位することを規制される。また第２係止片５２Ｂは、第１方向Ａ１に延びる長円形状の係止孔５２ｃに係止紐が挿通されるので、第２係止片５２Ｂは、装着体３に対して、第１方向Ａ１の変位を許容される。また第３係止片５３Ｂは、第２方向Ａ２に延びる長円形状の係止孔５３ｃに係止紐が挿通されるので、第３係止片５３Ｂは、装着体３に対して、第２方向Ａ２の変位を許容される。また第４係止片５４Ｂは、第１係止片５１Ｂの係止孔５１ｃよりも大きな係止孔５３ｃに係止紐１１が挿通されるので、第３係止片５３Ｂは、装着体３に対して、あらゆる方向への変位を許容される。
【００３５】
以上のように太陽電池モジュール２Ｂは、第１係止片５１Ｂだけが装着体３に対して変位を規制されて係止され、第２係止片５２Ｂは、第１方向Ａ１への変位を許容されて係止され、第３係止片５３Ｂは、第２方向Ａ２への変位を許容されて係止され、第４係止片５４Ｂは、あらゆる方向への変位を許容されて装着体３に係止される。これによって隣接する太陽電池モジュール２Ｂが互いに、第１方向Ａ１および第２方向Ａ２に変位することが許容される。
【００３６】
図２０は、第３の太陽電池の連結構造の係止片５１Ｃ，５２Ｃ，５３Ｃ，５４Ｃを含む太陽電池モジュール２Ｃを示す平面図である。図２１は、第１係止片５１Ｃを示す平面図である。図２２は、第２係止片５２Ｃを示す平面図である。図２３は、図２１の切断面線Ｓ２３−Ｓ２３、および図２２の切断面線Ｓ２３−Ｓ２３から見た断面図である。図２４は、第３係止片５３Ｃを示す平面図である。図２５は、図２４の切断面線Ｓ２５−Ｓ２５から見た断面図である。図２６は、第４係止片５４Ｃを示す平面図である。図２７は、補助係止片５５Ｃを示す平面図である。第１係止片５１Ｃは、モジュール本体４の４つの角部のうちの１つである第１角部４１に設けられる。第２係止片５２Ｃは、第１角部４１に連なる一方の辺に連なる第２角部４２に設けられる。第３係止片５３Ｃは、第１角部４１に連なる他方の辺に連なる第３角部４３に設けられる。第４係止片５４Ｃは、第１角部４１とは対角をなす第４角部４４に設けられる。
【００３７】
図２１および図２３に示す第１係止片５１Ｃは、平板状に形成され、接合部５１ａおよび係止部５１ｂが設けられる。第１係止片５１Ｃの厚み方向の寸法は、たとえば１ミリメートルであってもよい。接合部５１ａは、大略的に二等辺直角三角形状に形成され、モジュール本体４の第１角部４１の断熱材９に全面にわたって接合される。係止部５１ｂは、第１係止片５１Ｃがモジュール本体４に接合されている状態では、モジュール本体４から露出するように突出している。係止部５１ｂの突出方向は、第１係止片５１Ｃがモジュール本体４に接合されている状態で、モジュール本体４の第３角部４３から第１角部４１に向かう方向に沿う方向である。係止部５１ｂの遊端部は、第１係止片５１Ｃがモジュール本体４に接合されている状態で、モジュール本体４の断熱材９から太陽電池セル７に向かう方向に屈曲し、係止部５２ｂの遊端部とモジュール本体４の第２角部４２とは、第４角部４４から第２角部４２に向かう方向に間隔をあけている。
【００３８】
図２２および図２３に示す第２係止片５２Ｃは、大略的には平板状に形成され、接合部５２ａおよび係止部５２ｂが設けられる。第２係止片５２Ｃの厚み方向の寸法は、たとえば１ミリメートルであってもよい。接合部５２ａは、大略的に二等辺直角三角形状に形成され、モジュール本体４の第２角部４２の断熱材９に全面にわたって接合される。係止部５２ｂは、第２係止片５２Ｃがモジュール本体４に接合されている状態では、モジュール本体４から露出するように突出している。係止部５２ｂの突出方向は、第２係止片５２Ｃがモジュール本体４に接合されている状態で、モジュール本体４の第４角部４４から第２角部４２に向かう方向に沿う方向である。係止部５２ｂの遊端部は、第２係止片５２Ｃがモジュール本体４に接合されている状態で、モジュール本体４の断熱材９から太陽電池セル７に向かう方向に屈曲し、係止部５２ｂの遊端部とモジュール本体４の第２角部４２とは、第４角部４４から第２角部４２に向かう方向に間隔をあけている。
【００３９】
図２４および図２５に示す第３係止片５３Ｃは、大略的には平板状に形成され、接合部５３ａおよび係止部５３ｂが設けられる。第３係止片５３Ｃの厚み方向の寸法は、たとえば１ミリメートルであってもよい。接合部５３ａは、大略的に二等辺直角三角形状に形成され、モジュール本体４の第３角部４３の断熱材９に全面にわたって接合される。係止部５３ｂは、第３係止片５３Ｃがモジュール本体４に接合されている状態では、モジュール本体４から露出するように突出している。係止部５３ｂの突出方向は、第３係止片５３Ｃがモジュール本体４に接合されている状態で、モジュール本体４の第４角部４４から第３角部４３に向かう方向に沿う方向である。係止部５３ｂの遊端部は、第３係止片５３Ｃがモジュール本体４に接合されている状態で、モジュール本体４の断熱材９から太陽電池セル７に向かう方向に屈曲し、係止部５３ｂの遊端部とモジュール本体４の第３角部４３とは、第４角部４４から第３角部４３に向かう方向に間隔をあけている。
【００４０】
図２６に示す第４係止片５４Ｃは、平板状に形成され、接合部５４ａおよび係止部５４ｂが設けられる。第４係止片５４Ｃの厚み方向の寸法は、たとえば１ミリメートルであってもよい。接合部５４ａは、大略的に二等辺直角三角形状に形成され、モジュール本体４の第４角部４４の断熱材９に全面にわたって接合される。係止部５４ｂは、第４係止片５４Ｃがモジュール本体４に接合されている状態では、モジュール本体４から露出するように突出している。係止部５４ｂの突出方向は、第４係止片５４Ｃがモジュール本体４に接合されている状態で、モジュール本体４の第３角部４３から第４角部４４に向かう方向に沿う方向である。
【００４１】
図２７に示す補助係止片５５Ｃは、大略的に台形状の平板状に形成され、厚み方向に貫通する６個の係止孔５６ａ，５６ｂ，５７ａ，５７ｂ，５８ａ，５８ｂが形成される。第１〜第４係止孔５６ａ，５６ｂ，５７ａ，５７ｂは、予め定める第１仮想直線上に配置され、第１係止孔５６ａと第２係止孔５６ｂとの間隔は、前記第１係止片５１Ｃの係止部５１ｂの幅と同程度に設定される。第３係止孔５７ａと第４係止孔５７ｂとの間隔は、前記第２係止片５２Ｂの幅よりも充分に大きく設定される。第５および第６係止孔５８ａ，５８ｂは、前記第１仮想直線とは垂直な第２仮想直線上に配置され、第５係止孔５８ａと第６係止孔５８ｂとの間隔は、前記第３および第４係止片５３Ｃ，５４Ｃの係止部５３ｂ，５４ｂの幅よりも充分に大きく設定される。
【００４２】
図２８は、図２０に示す太陽電池モジュール２Ｃを装着体３に連結して形成した太陽電池ユニット１Ｃを示す平面図である。図２９は、図２８のセクションＩＸＸＸを拡大して示す平面図である。図２８に示す太陽電池ユニット１Ｃにおいて、複数、本実施の形態では１５個の太陽電池モジュール２Ｃは、予め定める第１方向Ａ１に５個並列し、前記第１方向Ａ１とは異なる方向、本実施の形態では、第１方向Ａ１に垂直な方向である第２方向Ａ２に３個並列し、モジュール本体４の長手方向が第２方向Ａ２に沿うとともに、モジュール本体４の幅方向が第１方向Ａ１に沿うように配置されて、格子状に形成される装着体３に連結される。
【００４３】
補助係止片５５Ｃは、図２９に示すように４個の太陽電池モジュール２Ｃが付き合わされる箇所に配置され、第１係止片５１Ｃ、第２係止片５２Ｃおよび第４係止片５４Ｃと、装着体３とによって挟持される。このとき補助係止片５５Ｃは、第１仮想直線が第１方向Ａ１に平行となり、第２仮想直線が第２方向Ａ２に平行になるように配置される。またこのとき第１係止片５１Ｃの係止部５１ｂは、補助係止片５５Ｃの第１係止孔５６ａと第２係止孔５６ｂとの間に配置され、第２係止片５２Ｃの係止部５２ｂは、第３係止孔５７ａと第４係止孔５７ｂとの間に配置され、第３係止片５３Ｃおよび第４係止片５４Ｃの各係止部５３ｂ，５４ｂは、第５係止孔５８ａと第６係止孔５８ｂとの間に配置される。太陽電池モジュール２Ｃの第４係止片５４Ｃの係止部５４ｂは、第１方向Ａ１下流側に配置される太陽電池モジュール２Ｃの第３係止片５３Ｃの係止部５３ｂと、補助係止片５５Ｃとによって挟持される。
【００４４】
補助係止片５５Ｃの第１係止孔５６ａおよび第２係止孔５６ｂに係止紐５９ａを挿通して、太陽電池モジュール２Ｃの第１係止片５１Ｃの係止部５１ｂを、係止紐５９ａと補助係止片５５Ｃとによって挟持する。このとき第１係止孔５６ａと第２係止孔５６ｂとの間隔は、第１係止片５１Ｃの係止部５１ｂの幅と同じであるので、第１係止片５１Ｃの第１方向Ａ１への変位は規制され、さらに第１係止片５１Ｃの係止部５１ａが屈曲しているので、第１係止片５１Ｃの第２方向Ａ２への変位は規制される。補助係止片５５Ｃの第３係止孔５７ａおよび第４係止孔５７ｂに係止紐５９ｂを挿通して、太陽電池モジュール２Ｃの第２係止片５２Ｃの係止部５２ｂを、係止紐５９ｂと補助係止片５５Ｃとによって挟持する。このとき第３係止孔５７ａと第４係止孔５７ｂとの間隔は、第２係止片５２Ｃの係止部５２ｂの幅よりも大きいので、第２係止片５２Ｃの第１方向Ａ１の変位は許容され、また第２係止片５２Ｃの係止部５２ａが屈曲しているので、第２係止片５２Ｃの第２方向Ａ２への変位は規制される。
【００４５】
補助係止片５５Ｃの第５係止孔５８ａおよび第６係止孔５８ｂに係止紐５９ｃを挿通して、太陽電池モジュール２Ｃの第３係止片５３Ｃの係止部５３ｂおよび第４係止片５４Ｃの係止部５４ｂを、係止紐５９ｃと補助係止片５５Ｃとによって挟持する。このとき第５係止孔５８ａと第６係止孔５８ｂとの間隔は、第３係止片５３Ｃの係止部５３ｂおよび第４係止片５４Ｃの係止部５４ｂの幅よりも大きいので、第３係止片５３Ｃおよび第４係止片５４Ｃの第２方向Ａ２への変位は許容され、また第１第３係止片５３Ｃおよび第４係止片５４Ｃの第１方向Ａ１への変位も許容される。
【００４６】
以上のように太陽電池モジュール２Ｃは、第１係止片５１Ｃだけが装着体３に対して変位を規制されて係止され、第２係止片５２Ｃは、第１方向Ａ１への変位を許容されて係止され、第３および第４係止片５３Ｃ，５４Ｃは、第１方向Ａ１および第２方向Ａ２への変位を許容されて係止される。これによって隣接する太陽電池モジュール２Ｃが互いに、第１方向Ａ１および第２方向Ａ２に変位することが許容される。補助係止片５５Ｃは、装着体３に予め固定されていてもよく、また係止紐５９ａ，５９ｂ，５９ｃによって装着体３に固定されてもよい。
【００４７】
図３０は、第４の太陽電池の連結構造の係止片５１Ｄ，５２Ｄ，５３Ｄ，５４Ｄを含む太陽電池モジュール２Ｄを示す平面図である。図３１は、第１係止片５１Ｄを示す斜視図である。図３２は、第２係止片５２Ｄを示す斜視図である。図３３は、第３係止片５３Ｄを示す斜視図である。図３４は、第４係止片５４Ｄを示す斜視図である。第１係止片５１Ｄは、モジュール本体４の４つの角部のうちの１つである第１角部４１に設けられる。第２係止片５２Ｄは、第１角部４１に連なる一方の辺に連なる第２角部４２に設けられる。第３係止片５３Ｄは、第１角部４１に連なる他方の辺に連なる第３角部４３に設けられる。第４係止片５４Ｄは、第１角部４１とは対角をなす第４角部４４に設けられる。
【００４８】
図３１に示す第１係止片５１Ｄは、平板状に形成され、接合部５１ａおよび係止部５１ｂが設けられる。第１係止片５１Ｄの厚み方向の寸法は、たとえば１ミリメートルであってもよい。接合部５１ａは、大略的に二等辺直角三角形状に形成され、モジュール本体４の第１角部４１の断熱材９に全面にわたって接合される。係止部５１ｂは、第１係止片５１Ｄがモジュール本体４に接合されている状態では、モジュール本体４から露出するように突出している。係止部５１ｂの突出方向は、第１係止片５１Ｄがモジュール本体４に接合されている状態で、モジュール本体４の第１角部４１から第２角部４２に向かう方向とは１３５度をなし、かつ第１角部４１から第３角部４３に向かう方向とは１３５度をなす方向である。係止部５１ｂには、厚み方向に貫通する係止孔５１ｃが形成される。係止孔５１ｃの内径は、たとえば１ミリメートルであってもよい。
【００４９】
図３２に示す第２係止片５２Ｄは、大略的に平板状に形成され、接合部５２ａおよび係止部５２ｂが設けられる。第２係止片５２Ｄの厚み方向の寸法は、たとえば１ミリメートルであってもよい。接合部５２ａは、大略的に二等辺直角三角形状に形成され、モジュール本体４の第２角部４２の断熱材９に全面にわたって接合される。係止部５２ｂは、第２係止片５２Ｄがモジュール本体４に接合されている状態では、モジュール本体４から露出するように突出している。係止部５２ｂの突出方向は、第２係止片５２Ｄがモジュール本体４に接合されている状態で、モジュール本体４の第１角部４１から第２角部４２に向かう方向である。また第２係止片５２Ｄの係止部５２ｂの遊端部の、第４角部４４から第２角部４２に向かう方向の下流側端部は、第２係止片５２Ｄがモジュール本体４に接合されている状態で、モジュール本体４の断熱材９から太陽電池セル７に向かう方向に屈曲し、係止部５２ｂの遊端部とモジュール本体４の第２角部４２とは、第４角部４４から第２角部４２に向かう方向に間隔をあけている。
【００５０】
図３３に示す第３係止片５３Ｄは、平板状に形成され、接合部５３ａおよび係止部５３ｂが設けられる。第３係止片５３Ｄの厚み方向の寸法は、たとえば１ミリメートルであってもよい。接合部５３ａは、大略的に二等辺直角三角形状に形成され、モジュール本体４の第３角部４３の断熱材９に全面にわたって接合される。係止部５３ｂは、第３係止片５３Ｄがモジュール本体４に接合されている状態では、モジュール本体４から露出するように突出している。係止部５３ｂの突出方向は、第３係止片５３Ｂがモジュール本体４に接合されている状態で、モジュール本体４の第１角部４１から第３角部４３に向かう方向である。係止部５３ｂには、厚み方向に貫通する係止孔５３ｃが形成される。係止孔５３ｃの内径は、たとえば１ミリメートルであってもよい。
【００５１】
図３４に示す第４係止片５４Ｄは、平板状に形成され、接合部５４ａおよび係止部５４ｂが設けられる。第４係止片５４Ｄの厚み方向の寸法は、たとえば１ミリメートルであってもよい。接合部５４ａは、大略的に二等辺直角三角形状に形成され、モジュール本体４の第４角部４４の断熱材９に全面にわたって接合される。係止部５４ｂは、第４係止片５４Ｄがモジュール本体４に接合されている状態では、モジュール本体４から露出するように突出している。係止部５４ｂの突出方向は、第４係止片５４Ｂがモジュール本体４に接合されている状態で、モジュール本体４の第２角部４２から第４角部４４に向かう方向である。係止部５４ｂには、厚み方向に貫通する係止孔５４ｃが形成される。係止孔５４ｃの内径は、たとえば１ミリメートルであってもよい。
【００５２】
図３５は、図３０に示す太陽電池モジュール２Ｄを装着体３に連結して形成した太陽電池ユニット１Ｄを示す平面図である。図３６は、図３５のセクションＸＸＸＶＩを拡大して示す平面図である。図３７は、図３６の切断面線Ｓ３７−Ｓ３７から見た断面図である。図３８は、図３６の切断面線Ｓ３８−Ｓ３８から見た断面図である。図３５に示す太陽電池ユニット１Ｄにおいて、複数、本実施の形態では１５個の太陽電池モジュール２Ｄは、予め定める第１方向Ａ１に５個並列し、前記第１方向Ａ１とは異なる方向、本実施の形態では、第１方向Ａ１に垂直な方向である第２方向Ａ２に３個並列し、モジュール本体４の長手方向が第２方向Ａ２に沿うとともに、モジュール本体４の幅方向が第１方向Ａ１に沿うように配置されて、格子状に形成される装着体３に連結される。
【００５３】
このとき隣接する４個の太陽電池モジュール２Ａにおいて、図３６に示すように、第２方向Ａ２上流側に配置され第１方向Ａ１に隣接する２つの太陽電池モジュール２Ｄのうち、第１方向Ａ１上流側に配置される太陽電池モジュール２Ｄの第４係止片５４Ｄの係止部５４ｂが、当該太陽電池モジュール２Ｄの第２方向Ａ２下流側に隣接する太陽電池モジュール２Ｄの第２角部４２と、装着体３とによって挟持される。また前述の第２方向Ａ２上流側に配置され第１方向Ａ１に隣接する２つの太陽電池モジュール２Ｄのうち、第１方向Ａ１下流側に配置される太陽電池モジュール２Ｄの第３係止片５３Ｄの係止部５３ｂが、当該太陽電池モジュール２Ｄの第２方向Ａ２下流側に隣接する太陽電池モジュール２Ｄの第１角部４１と、装着体３とによって挟持される。これによって太陽電池モジュール２Ｄの第３係止片５３Ｄおよび第４係止片５４Ｄは、装着体３に完全に固定されないで係止されている。
【００５４】
また装着体３と協働して第２方向Ａ２上流側の太陽電池モジュール２Ｄの第４係止片５４Ｄの係止部５４ｂを挟持している太陽電池モジュール２Ｄの第２係止片５２Ｄの係止部５２ｂは、当該太陽電池モジュール２Ｄの第１方向Ａ１下流側に隣接する太陽電池モジュール２Ｄの第１係止片５１Ｄの係止部４１と、装着体３とによって挟持される。このとき図３６に示すように、前記第２係止片５２Ｄの係止部５２ｂの遊端部は、前記第１係止片５２の係止部５１ｂよりも第１方向Ａ１下流側に配置されて、第１角部４１に係止される。また装着体３に設けられる係止紐１１を、第１係止片５１Ｄの係止部５１ｂに括りつける。これによって係止紐１１が括りつけられる第１係止片５１Ｄは、装着体に対して変位することを規制される。また第２係止片５２Ｄは、装着体３に対して、第１方向Ａ１および第２方向への変位をある程度許容される。
【００５５】
以上のように太陽電池モジュール２Ａは、第１係止片５１Ｄだけが装着体３に対して変位を規制されて係止され、第２係止片５２Ｄは、第１方向Ａ１および第２方向Ａ２への変位をある程度許容されて係止され、第３および第４係止片５３Ｄ，５４Ｄは、第１方向Ａ１および第２方向Ａ２への変位を許容されて係止される。これによって隣接する太陽電池モジュール２Ｄが互いに、第１方向Ａ１および第２方向Ａ２に変位することが許容される。
【００５６】
図３９は、第５の太陽電池の連結構造の係止片５１Ｅ，５２Ｅ，５３Ｅ，５４Ｅを含む太陽電池モジュール２Ｅを示す平面図である。図４０は、第１係止片５１Ｅを示す平面図である。図４１は、図４０の切断面線Ｓ４１−Ｓ４１から見た断面図である。図４２は、第２係止片５２Ｅを示す平面図である。図４３は、図４２の切断面線Ｓ４３−Ｓ４３から見た断面図である。図４４は、第３係止片５３Ｅを示す平面図である。図４５は、第４係止片５４Ｅを示す平面図である。第１係止片５１Ｅは、モジュール本体４の４つの角部のうちの１つである第１角部４１に設けられる。第２係止片５２Ｅは、第１角部４１に連なる一方の辺に連なる第２角部４２に設けられる。第３係止片５３Ｅは、第１角部４１に連なる他方の辺に連なる第３角部４３に設けられる。第４係止片５４Ｅは、第１角部４１とは対角をなす第４角部４４に設けられる。
【００５７】
図４０および図４１に示す第１係止片５１Ｅは、大略的に平板状に形成され、接合部５１ａおよび係止部５１ｂが設けられる。第１係止片５１Ｅの厚み方向の寸法は、たとえば１ミリメートルであってもよい。接合部５１ａは、大略的に二等辺直角三角形状に形成され、モジュール本体４の第１角部４１の断熱材９に全面にわたって接合される。係止部５１ｂは、第１係止片５１Ｅがモジュール本体４に接合されている状態では、モジュール本体４から露出するように突出している。係止部５１ｂの突出方向は、第１係止片５１Ｅがモジュール本体４に接合されている状態で、モジュール本体４の第１角部４１から第２角部４２に向かう方向とは１３５度をなし、かつ第１角部４１から第３角部４３に向かう方向とは１３５度をなす方向である。係止部５２ｂの遊端部は、第１係止片５１Ｅがモジュール本体４に接合されている状態で、モジュール本体４の断熱材９から太陽電池セル７に向かう方向に屈曲し、係止部５２ｂの遊端部とモジュール本体４の第１角部４２とは、第３角部４３から第１角部４１に向かう方向に間隔をあけている。
【００５８】
図４２および図４３に示す第２係止片５２Ｅは、大略的に平板状に形成され、接合部５２ａおよび係止部５２ｂが設けられる。第２係止片５２Ｅの厚み方向の寸法は、たとえば１ミリメートルであってもよい。接合部５２ａは、大略的に二等辺直角三角形状に形成され、モジュール本体４の第２角部４２の断熱材９に全面にわたって接合される。係止部５２ｂは、第２係止片５２Ｅがモジュール本体４に接合されている状態では、モジュール本体４から露出するように突出している。係止部５２ｂの突出方向は、第２係止片５２Ｅがモジュール本体４に接合されている状態で、モジュール本体４の第２角部４２から第１角部４１に向かう方向とは１３５度をなし、かつ第２角部４２から第４角部４４に向かう方向とは１３５度をなす方向である。係止部５２ｂの遊端部は、第２係止片５２Ｅがモジュール本体４に接合されている状態で、モジュール本体４の断熱材９から太陽電池セル７に向かう方向に屈曲し、係止部５２ｂの遊端部とモジュール本体４の第２角部４２とは、第４角部４４から第２角部４２に向かう方向に間隔をあけている。第２係止片５２Ｅがモジュール本体４に接合されている状態で、第２係止片５２Ｅの係止部５２ｂの第１角部４１から第２角部４２に向かう方向の寸法は、第１係止片５１Ｅの係止部５１ｂの第１角部４１から第２角部４２に向かう方向の寸法よりも小さく設定される。
【００５９】
図４４に示す第３係止片５３Ｅは、平板状に形成され、接合部５３ａおよび係止部５３ｂが設けられる。第３係止片５３Ｅの厚み方向の寸法は、たとえば１ミリメートルであってもよい。接合部５３ａは、大略的に二等辺直角三角形状に形成され、モジュール本体４の第３角部４３の断熱材９に全面にわたって接合される。係止部５３ｂは、第３係止片５３Ｅがモジュール本体４に接合されている状態では、モジュール本体４から露出するように突出している。係止部５３ｂの突出方向は、第３係止片５３Ｅがモジュール本体４に接合されている状態で、モジュール本体４の第１角部４１から第３角部４３に向かう方向に沿う方向である。
【００６０】
図４５に示す第４係止片５４Ｅは、平板状に形成され、接合部５４ａおよび係止部５４ｂが設けられる。第４係止片５４Ｅの厚み方向の寸法は、たとえば１ミリメートルであってもよい。接合部５４ａは、大略的に二等辺直角三角形状に形成され、モジュール本体４の第４角部４４の断熱材９に全面にわたって接合される。係止部５４ｂは、第４係止片５４Ｅがモジュール本体４に接合されている状態では、モジュール本体４から露出するように突出している。係止部５４ｂの突出方向は、第４係止片５４Ｅがモジュール本体４に接合されている状態で、モジュール本体４の第２角部４２から第４角部４４に向かう方向に沿う方向である。
【００６１】
図４６は、図３９に示す太陽電池モジュール２Ｅを装着体３に連結して形成した太陽電池ユニット１Ｅを示す平面図である。図４７は、図４６のセクションＸＬＶＩＩを拡大して示す平面図である。図４８は、図３９に示す太陽電池モジュール２Ｅを装着体３に連結するときの説明をするための斜視図である。図４６に示す太陽電池ユニット１Ｅにおいて、複数、本実施の形態では１５個の太陽電池モジュール２Ｅは、予め定める第１方向Ａ１に５個並列し、前記第１方向Ａ１とは異なる方向、本実施の形態では、第１方向Ａ１に垂直な方向である第２方向Ａ２に３個並列し、モジュール本体４の長手方向が第２方向Ａ２に沿うとともに、モジュール本体４の幅方向が第１方向Ａ１に沿うように配置されて、格子状に形成される装着体３に連結される。
【００６２】
このとき隣接する４個の太陽電池モジュール２Ｅにおいて、図４８に示すように、第３および第４係止片５３Ｅ，５４Ｅの係止部５３ｂ，５４ｂの遊端部が、第２係止片５２Ｅの係止部５２ｂと装着体３とによって挟持される。この状態で第２〜第４係止片５２Ｅ，５３Ｅ，５４Ｅの係止部５２ｂ，５３ｂ，５４ｂが、第１係止片５１Ｅの係止部５１ｂと装着体３とによって挟持される。さらにこの状態で、装着体３に設けられ装着体３の厚み方向に貫通する２つの挿通孔１２ａ，１２ｂにワイヤータイ１３が挿通されて、ワイヤータイ１３が各太陽電池モジュール２Ｅの第１〜第４係止片５１Ｅ〜５４Ｅの各係止部５１ｂ，５２ｂ，５３ｂ，５４ｂに巻回されて、前記各係止部５１ｂ，５２ｂ，５３ｂ，５４ｂが装着体３に係止される。
【００６３】
これによってワイヤータイ１３が直接接触する第１係止片５１Ｅは、装着体３に対して第１方向Ａ１および第２方向Ａ２に変位することを規制される。また第１係止片５１Ｅの装着体３側の第２係止片５２Ｅは、その遊端部の第１方向Ａ１の寸法が、第１係止片５１Ｅの遊端部の第１方向Ａ１の寸法よりも小さいので、第２係止片５２Ｅは、装着体３に対して、第１方向Ａ１の変位を許容される。また第３および第４係止片５３Ｅ，５４Ｅは、第２係止片５２Ｅと装着体３とによって教示されているだけであるので、第３および第４係止片５３Ｂ，５４Ｂは、装着体３に対して、あらゆる方向への変位を許容される。
【００６４】
以上のように太陽電池モジュール２Ｅは、第１係止片５１Ｅだけが装着体３に対して変位を規制されて係止され、第２係止片５２Ｅは、第１方向Ａ１への変位を許容されて係止され、第３および第４係止片５３Ｅ，５４Ｅは、あらゆる方向への変位を許容されて装着体３に係止される。これによって隣接する太陽電池モジュール２Ｅが互いに、第１方向Ａ１および第２方向Ａ２に変位することが許容される。
【００６５】
図４９は、第６の太陽電池の連結構造の係止部５１Ｆ，５２Ｆ，５３Ｆ，５４Ｆを含む太陽電池モジュール２Ｆを示す平面図である。第１係止部５１Ｆは、モジュール本体４の４つの角部のうちの１つである第１角部４１に設けられ、厚み方向に貫通する係止孔５１ｃが形成される。第２係止部５２Ｆは、第１角部４１に連なる一方の辺に連なる第２角部４２に設けられ、厚み方向に貫通する係止孔５２ｃが形成される。第３係止部５３Ｆは、第１角部４１に連なる他方の辺に連なる第３角部４３に設けられ、厚み方向に貫通する係止孔５３ｃが形成される。第４係止部５４Ｆは、第１角部４１とは対角をなす第４角部４４に設けられ、厚み方向に貫通する係止孔５４ｃが形成される。
【００６６】
図５０は、図３９に示す太陽電池モジュール２Ｆを装着体３に連結して形成した太陽電池ユニット１Ｆを示す平面図である。図５１は、図５０のセクションＬＩを拡大して示す平面図である。図５２は、図５１の切断面線Ｓ５２−Ｓ５２から見た断面図である。図５０に示す太陽電池ユニット１Ｆにおいて、複数、本実施の形態では１５個の太陽電池モジュール２Ｅは、予め定める第１方向Ａ１に５個並列し、前記第１方向Ａ１とは異なる方向、本実施の形態では、第１方向Ａ１に垂直な方向である第２方向Ａ２に３個並列し、モジュール本体４の長手方向が第２方向Ａ２に沿うとともに、モジュール本体４の幅方向が第１方向Ａ１に沿うように配置されて、格子状に形成される装着体３に連結される。
【００６７】
このとき隣接する４個の太陽電池モジュール２Ｆにおいて、図５１に示すように、太陽電池モジュール２Ｆの第１係止部５１Ｆは、装着体３および第１係止孔５１ｃを挿通する係止紐５９によって、装着体３に対して第１方向Ａ１および第２方向Ａ２の変位を規制されて係止される。太陽電池モジュール２Ｆの第２係止部５２Ｆは、予め装着体３に設けられ、第１方向Ａ１に延びる補助係止紐６０に係止される係止紐５９が挿通されて、装着体３に対して第１方向Ａ１への変位を許容された状態で装着体３に係止される。太陽電池モジュール２Ｆの第３係止部５３Ｆは、予め装着体３に設けられ、第２方向Ａ２に延びる補助係止紐６０に係止される係止紐５９が挿通されて、装着体３に対して第２方向Ａ２への変位を許容された状態で装着体３に係止される。太陽電池モジュール２Ｆの第４係止部５４Ｆは、予め装着体３に設けられ、第２方向Ａ２に延びる補助係止紐６０に係止される係止紐５９が挿通されて、装着体３に対して第２方向Ａ２への変位を許容された状態で装着体３に係止される。
【００６８】
以上のように太陽電池モジュール２Ｆは、第１係止部５１Ｆだけが装着体３に対して変位を規制されて装着体３に係止され、第２係止部５２Ｆは、第１方向Ａ１への変位を許容されて装着体３に係止され、第３および第４係止部５３Ｆ，５４Ｆは、第２方向Ａ２への変位を許容されて装着体３に係止される。これによって隣接する太陽電池モジュール２Ｅが互いに、第１方向Ａ１および第２方向Ａ２に変位することが許容される。
【００６９】
図５３は、太陽電池モジュール２が取付けられる前の装着体３を示す斜視図である。装着体３の第２方向Ａ２上流側端部は、第１方向Ａ１に延びる上部支持パイプ６１が複数の上部パイプ連結紐６２を介して着脱可能に連結される。また装着体３の第２方向下流側端部は、第１方向Ａ１に延びる下部支持パイプ６３が複数の下部パイプ連結紐６４を介して着脱可能に連結される。装着体３の第２方向Ａ２上流側端部と上部支持パイプ６１との間隔Ｂ１および装着体３の第２方向Ａ２下流側端部との間隔は、たとえば２００ミリメートルであってもよい。
【００７０】
図５４は、太陽電池ユニット支持架台６５を示す正面図である。図５５は、太陽電池ユニット支持架台６５を示す側面図である。太陽電池ユニット支持架台６５は、図５１に示す上部支持パイプ６１および下部支持パイプ６３が連結される装着体３を、上部支持パイプ６１が鉛直上方に配置され、下部支持パイプ６３が鉛直下方に配置されるように、装着体３を吊下げる。装着体３がこのように吊下げられる状態で、作業者は、装着体３に太陽電池モジュール２を取付作業を行い、各係止片５を前述のように装着体３に係止する。太陽電池モジュール２は、装着体３の上部から、さらに左から順に取付けられる。このように太陽電池ユニット１の作成は、飛行船とは独立した場所で行われる。
【００７１】
図５６は、本発明の実施の一形態の太陽電池ユニット１における配線を模式的に示す平面図である。図５７は、太陽電池ユニット１における配線例を詳細に示す平面図である。太陽電池ユニット１における各太陽電池モジュール２には、出力導線６に電気的に接続され、太陽電池モジュール２の縁辺部の１箇所に内部接続コネクタ１０が設けられる。太陽電池ユニット１には、各太陽電池モジュール２と、外部接続コネクタ１４とを電気的に接続する内部接続線１５が設けられる。内部接続線１５は、各太陽電池モジュール２の係止片５に、たとえばテープなどによって固定されて、各太陽電池モジュール２が付き合わされる領域に配置される。また内部接続線１５は、紐、ワイヤータイおよびファスナなどによって、各太陽電池モジュール２の係止片５に固定されてもよい。これによって内部接続線１５の配線を容易に行うことができる。外部接続コネクタ１４は、太陽電池ユニット１の縁辺部の１箇所に設けられる。
【００７２】
図５８は、飛行船２０の外皮２１に太陽電池ユニット１を取付ける作業を模式的に示す側面図である。図５９は、飛行船２０の外皮２１に太陽電池ユニット１を取付け作業を模式的に示す正面図である。図６０は、飛行船２０の外皮２１に太陽電池ユニット１を取付ける作業を模式的に示す斜視図である。飛行船２０の外皮２１への太陽電池ユニット１の取付けは、外皮２１に浮揚ガスを収納している状態であって、飛行船２０が着地している状態で行われる。
【００７３】
図６１、図６２および図６３は、太陽電池ユニット１がクレーン２２によって搬送される様子を模式的に示す正面図である。太陽電池ユニット１は、図５１に示したような上部支持パイプ６１および下部支持パイプ６３が連結されている状態で、クレーン２２によって、外皮２１の取付けられるべき位置に搬送される。このとき上部支持パイプ６１は、クレーン２２に着脱可能に連結され、下部支持パイプ６３は、地上に居る作業者が操作する制御索２４に着脱可能に連結されて、太陽電池ユニット１が支持される。
【００７４】
図６４は、太陽電池ユニット１が外皮２１に連結されている状態を示す斜視図である。太陽電池ユニット１は、外皮２１に、第１方向Ａ１が外皮２１の前後方向Ｃ１に沿うとともに、第２方向Ａ２が外皮２１の周方向Ｃ２に沿うように配置されて、外皮２１に設けられる連結帯２５，２６に着脱可能に連結される。複数の太陽電池ユニット１の外皮２１への取付作業は、図６０の丸印１〜６に示すように、外皮２１の鉛直方向下方側から、機首から機尾に向かう方向に順に行われる。
【００７５】
図６５は、太陽電池ユニット１を外皮２１に連結するときの、太陽電池ユニット１の第２方向Ａ２上流側端部および上部支持パイプ６１を拡大して示す斜視図である。太陽電池ユニット１をクレーン２２で吊った状態で、太陽電池ユニット１と上部支持パイプ６１とを連結する複数の上部パイプ連結紐６２のうちの１つを連結解除して、別途予め用意しておいた第１連結紐２７を介して、太陽電池モジュール１の第２方向Ａ２上流側端部と外皮２１に設けられ前後方向Ｃ１に延びる第１連結帯２５に着脱可能に連結する。このような作業を繰返して、太陽電池ユニット１の第２方向Ａ２上流側端部を第１連結帯２５に着脱可能に連結する。第１連結紐２７は、たとえば４ミリメートル径のロープおよびワイヤータイで実現されてもよい。
【００７６】
図６６は、太陽電池ユニット１を外皮２１に連結するときの、太陽電池ユニット１の第２方向Ａ２下流側端部を拡大して示す斜視図である。図６７は、連結紐固定金具２９を示す斜視図である。太陽電池ユニット１の第２方向Ａ２上流側端部が第１連結帯２５に着脱可能に連結されている状態で、太陽電池ユニット１の第２方向Ａ２下流側端部と外皮２１に設けられ前後方向Ｃ１に延びる第２連結帯２６に着脱可能に連結する。このとき先ず、図６６（１）に示すように、第２連結帯２６に括りつけた第２連結紐２８を、太陽電池ユニット１の第２方向Ａ２下流側端部に形成される連結孔３０に挿通する。続いて図６６（２）に示すように、第２連結紐２８の遊端部をばね量り３２に連結して、所定の荷重となるようにばね量り３２を引張る。この所定の荷重は、たとえば１±０．２キログラム重であってもよい。この荷重を維持した状態で、図６７に示す連結紐固定金具２９をペンチ３３によってかしめて、太陽電池ユニット１の第２方向Ａ２下流側端部と第２連結帯２６とを着脱可能に連結する。
【００７７】
図６５および図６６に示すような太陽電池ユニット１を外皮２１に連結するときの作業は、図５８、図５９および図６３に示す高所作業車３１に乗載される作業者によって行われる。
【００７８】
図６８は、外皮２１に連結されている太陽電池ユニット１の配線を模式的に示す平面図である。複数の太陽電池ユニット１を飛行船２０の外皮２１に取付た後に、各太陽電池ユニット１の外部接続コネクタ１４とユニット制御部１７とを外部接続線１６を介して電気的に接続する。外部接続線１６は、各太陽電池ユニット１が付き合わされる領域に配置される。ユニット制御部１７は、電源供給先である電源装置１８に各太陽電池ユニット１からの電力を供給する。前述のように飛行船２０の外皮２１に太陽電池ユニットを取付けた場合、発電される電力が数百ワット〜数メガワット程度になることが想定されている。しかし飛行船２０の向き、外皮２１の形状および太陽の位置によって、実際に発電に寄与できる太陽電池ユニット１は、全太陽電池ユニット１のうちの数分の１程度しかない。したがってユニット制御部１７は、重量のかさむ配線を減らすために、隣接する太陽電位ユニット１同士を接続し、発電される電力の集約を制御する。
【００７９】
以上のように本実施の形態の太陽電池の接続方法によれば、内部接続工程では、複数の太陽電池モジュール２が装着体３を介して連結されて形成される太陽電池ユニット１を飛行船２０の外皮２１に取付ける前に、太陽電池ユニット１の縁辺部の１箇所に内部接続コネクタ１０が設けられ、各太陽電池モジュール２と内部接続コネクタ１０とが電気的に接続される。これによって各太陽電池モジュール２と内部接続コネクタ１０との電気的に接続する作業を、飛行船２０とは独立した場所で行うことができるので、作業を容易に行うことができる。外部接続工程では、複数の太陽電池ユニット１を飛行船２０の外皮２１に取付た後に、各太陽電池ユニット１の内部接続コネクタ１０と電源装置１８とが電気的に接続される。太陽電池ユニット１の縁辺部の１箇所に内部接続コネクタ１０が設けられるので、各太陽電池ユニット１と電源装置１８とを電気的に接続するときに、太陽電池ユニット１と電源装置１８とを個別に電気的に接続することができるとともに、配線を容易に行うことができる。したがって太陽電池ユニット１が飛行船２０の外皮２１に取付けられる状態であっても、各太陽電池ユニット１と電源装置１８とを容易に電気的に接続することができ、作業性が向上する。
【００８０】
また本実施の形態の太陽電池の接続方法によれば、内部接続工程では、各太陽電池モジュール２が付き合わされる領域に内部接続線１５が配置され、内部接続線１５と内部接続コネクタ１０とを電気的に接続されて、各太陽電池モジュール２と内部接続コネクタ１０とが電気的に接続される。内部接続線１５は、各太陽電池モジュール２が付き合わされる領域に配置されるので、内部接続線１５が、たとえば太陽電池モジュール２の表面に当接するなどして、太陽電池モジュール２の発電能力を低下させることを防止することができる。
【００８１】
また本実施の形態の太陽電池の接続方法によれば、外部接続工程では、各太陽電池ユニット１が付き合わされる領域に外部接続線１６が配置されて、外部接続線１６と電源装置１８とが電気的に接続されることで、各太陽電池ユニット１と電源装置１８とが電気的に接続される。外部接続線１６は、各太陽電池ユニット１が付き合わされる領域に外部接続線１６が配置されるので、外部接続線１６が、たとえば太陽電池ユニット１の表面に当接するなどして、太陽電池ユニット１の発電能力を低下させることを防止することができる。
【００８２】
また本実施の形態の太陽電池ユニット１によれば、複数の太陽電池モジュール２が装着体３を介して連結されて形成される太陽電池ユニット１であって、縁辺部の１箇所に設けられる内部接続コネクタ１０と、各太陽電池モジュール２と、内部接続コネクタ１０とを電気的に接続する内部接続線１５とを含む。内部接続コネクタ１０は、太陽電池ユニット１の縁辺部の１箇所に設けられるので、各太陽電池モジュール２と内部接続コネクタ１０とは内部接続線１５によって電気的に接続されるので、各太陽電池モジュール２からの電力を１つの内部接続コネクタ１０から出力することができる。たとえば複数の太陽電池ユニット１を電気的に接続する場合には、各太陽電池ユニット１の内部接続コネクタ１０を個別に電気的に接続すればよく、容易に接続作業を行うことができる。
【００８３】
本実施の形態の太陽電池の接続方法において、軽量化および省スペース化のために、内部接続コネクタ１９を用いずに、太陽電池ユニットにおける太陽電池モジュール同士の電気的な接続を、半田付けなどによって直接接続するようにしてもよい。
【図面の簡単な説明】
【００８４】
【図１】太陽電池ユニット１を示す平面図である。
【図２】太陽電池モジュール２および装着体３を示す平面図である。
【図３】太陽電池モジュール２を示す平面図である。
【図４】太陽電池モジュール２を示す断面図である。
【図５】第１の太陽電池の連結構造の係止片５１Ａ，５２Ａ，５３Ａ，５４Ａを含む太陽電池モジュール２Ａを示す平面図である。
【図６】第１係止片５１Ａを示す平面図である。
【図７】第２係止片５２Ａを示す平面図である。
【図８】第３係止片５３Ａを示す平面図である。
【図９】第４係止片５４Ａを示す平面図である。
【図１０】図５に示す太陽電池モジュール２Ａを装着体３に連結して形成した太陽電池ユニット１Ａを示す平面図である。
【図１１】図１０のセクションＸＩを拡大して示す平面図である。
【図１２】図５に示す太陽電池モジュール２Ａを装着体３に連結するときの説明をするための斜視図である。
【図１３】第２の太陽電池の連結構造の係止片５１Ｂ，５２Ｂ，５３Ｂ，５４Ｂを含む太陽電池モジュール２Ｂを示す平面図である。
【図１４】第１係止片５１Ｂを示す平面図である。
【図１５】第２係止片５２Ｂを示す平面図である。
【図１６】第３係止片５３Ｂを示す平面図である。
【図１７】第４係止片５４Ｂを示す平面図である。
【図１８】図１３に示す太陽電池モジュール２Ｂを装着体３に連結して形成した太陽電池ユニット１Ｂを示す平面図である。
【図１９】図１８のセクションＩＸＸを拡大して示す平面図である。
【図２０】第３の太陽電池の連結構造の係止片５１Ｃ，５２Ｃ，５３Ｃ，５４Ｃを含む太陽電池モジュール２Ｃを示す平面図である。
【００８５】
【図２１】第１係止片５１Ｃを示す平面図である。
【図２２】第２係止片５２Ｃを示す平面図である。
【図２３】図２２の切断面線Ｓ２３−Ｓ２３から見た断面図である。
【図２４】第３係止片５３Ｃを示す平面図である。
【図２５】図２４の切断面線Ｓ２５−Ｓ２５から見た断面図である。
【図２６】第４係止片５４Ｃを示す平面図である。
【図２７】補助係止片５５Ｃを示す平面図である。
【図２８】図２０に示す太陽電池モジュール２Ｃを装着体３に連結して形成した太陽電池ユニット１Ｃを示す平面図である。
【図２９】図２８のセクションＩＸＸＸを拡大して示す平面図である。
【図３０】第４の太陽電池の連結構造の係止片５１Ｄ，５２Ｄ，５３Ｄ，５４Ｄを含む太陽電池モジュール２Ｄを示す平面図である。
【図３１】第１係止片５１Ｄを示す斜視図である。
【図３２】第２係止片５２Ｄを示す斜視図である。
【図３３】第３係止片５３Ｄを示す斜視図である。
【図３４】第４係止片５４Ｄを示す斜視図である。
【図３５】図３０に示す太陽電池モジュール２Ｄを装着体３に連結して形成した太陽電池ユニット１Ｄを示す平面図である。
【図３６】図３５のセクションＸＸＸＶＩを拡大して示す平面図である。
【図３７】図３６の切断面線Ｓ３７−Ｓ３７から見た断面図である。
【図３８】図３６の切断面線Ｓ３８−Ｓ３８から見た断面図である。
【図３９】第５の太陽電池の連結構造の係止片５１Ｅ，５２Ｅ，５３Ｅ，５４Ｅを含む太陽電池モジュール２Ｅを示す平面図である。
【図４０】第１係止片５１Ｅを示す平面図である。
【００８６】
【図４１】図４０の切断面線Ｓ４１−Ｓ４１から見た断面図である。
【図４２】第２係止片５２Ｅを示す平面図である。
【図４３】図４２の切断面線Ｓ４３−Ｓ４３から見た断面図である。
【図４４】第３係止片５３Ｅを示す平面図である。
【図４５】第４係止片５４Ｅを示す平面図である。
【図４６】図３９に示す太陽電池モジュール２Ｅを装着体３に連結して形成した太陽電池ユニット１Ｅを示す平面図である。
【図４７】図４６のセクションＸＬＶＩＩを拡大して示す平面図である。
【図４８】図３９に示す太陽電池モジュール２Ｅを装着体３に連結するときの説明をするための斜視図である。
【図４９】第６の太陽電池の連結構造の係止部５１Ｆ，５２Ｆ，５３Ｆ，５４Ｆを含む太陽電池モジュール２Ｆを示す平面図である。
【図５０】図３９に示す太陽電池モジュール２Ｆを装着体３に連結して形成した太陽電池ユニット１Ｆを示す平面図である。
【図５１】図５０のセクションＬＩを拡大して示す平面図である。
【図５２】図５１の切断面線Ｓ５２−Ｓ５２から見た断面図である。
【図５３】太陽電池モジュール２が取付けられる前の装着体３を示す斜視図である。
【図５４】太陽電池ユニット支持架台６５を示す正面図である。
【図５５】太陽電池ユニット支持架台６５を示す側面図である。
【図５６】本発明の実施の一形態の太陽電池ユニット１における配線を模式的に示す平面図である。
【図５７】太陽電池ユニット１における配線を詳細に示す平面図である。
【図５８】飛行船２０の外皮２１に太陽電池ユニット１を取付ける作業を模式的に示す側面図である。
【図５９】飛行船２０の外皮２１に太陽電池ユニット１を取付け作業を模式的に示す正面図である。
【図６０】飛行船２０の外皮２１に太陽電池ユニット１を取付ける作業を模式的に示す斜視図である。
【００８７】
【図６１】太陽電池ユニット１がクレーン２２によって搬送される様子を模式的に示す正面図である。
【図６２】太陽電池ユニット１がクレーン２２によって搬送される様子を模式的に示す正面図である。
【図６３】太陽電池ユニット１がクレーン２２によって搬送される様子を模式的に示す正面図である。
【図６４】太陽電池ユニット１が外皮２１に連結されている状態を示す斜視図である。
【図６５】太陽電池ユニット１を外皮２１に連結するときの、太陽電池ユニット１の第２方向Ａ２上流側端部および上部支持パイプ６１を拡大して示す斜視図である。
【図６６】太陽電池ユニット１を外皮２１に連結するときの、太陽電池ユニット１の第２方向Ａ２下流側端部を拡大して示す斜視図である。
【図６７】連結紐固定金具２９を示す斜視図である。
【図６８】外皮２１に連結されている太陽電池ユニット１の配線を模式的に示す平面図である。
【符号の説明】
【００８８】
１  太陽電池ユニット
２，２Ａ，２Ｂ，２Ｃ，２Ｄ，２Ｅ，２Ｆ  太陽電池モジュール
３  装着体
１０  外部接続コネクタ
１５  内部接続線
１６  外部接続線
１８  電源装置
【図１】
2005064368.tif 000003
【図２】
2005064368.tif 000004
【図３】
2005064368.tif 000005
【図４】
2005064368.tif 000006
【図５】
2005064368.tif 000007
【図６】
2005064368.tif 000008
【図７】
2005064368.tif 000009
【図８】
2005064368.tif 000010
【図９】
2005064368.tif 000011
【図１０】
2005064368.tif 000012
【図１１】
2005064368.tif 000013
【図１２】
2005064368.tif 000014
【図１３】
2005064368.tif 000015
【図１４】
2005064368.tif 000016
【図１５】
2005064368.tif 000017
【図１６】
2005064368.tif 000018
【図１７】
2005064368.tif 000019
【図１８】
2005064368.tif 000020
【図１９】
2005064368.tif 000021
【図２０】
2005064368.tif 000022
【図２１】
2005064368.tif 000023
【図２２】
2005064368.tif 000024
【図２３】
2005064368.tif 000025
【図２４】
2005064368.tif 000026
【図２５】
2005064368.tif 000027
【図２６】
2005064368.tif 000028
【図２７】
2005064368.tif 000029
【図２８】
2005064368.tif 000030
【図２９】
2005064368.tif 000031
【図３０】
2005064368.tif 000032
【図３１】
2005064368.tif 000033
【図３２】
2005064368.tif 000034
【図３３】
2005064368.tif 000035
【図３４】
2005064368.tif 000036
【図３５】
2005064368.tif 000037
【図３６】
2005064368.tif 000038
【図３７】
2005064368.tif 000039
【図３８】
2005064368.tif 000040
【図３９】
2005064368.tif 000041
【図４０】
2005064368.tif 000042
【図４１】
2005064368.tif 000043
【図４２】
2005064368.tif 000044
【図４３】
2005064368.tif 000045
【図４４】
2005064368.tif 000046
【図４５】
2005064368.tif 000047
【図４６】
2005064368.tif 000048
【図４７】
2005064368.tif 000049
【図４８】
2005064368.tif 000050
【図４９】
2005064368.tif 000051
【図５０】
2005064368.tif 000052
【図５１】
2005064368.tif 000053
【図５２】
2005064368.tif 000054
【図５３】
2005064368.tif 000055
【図５４】
2005064368.tif 000056
【図５５】
2005064368.tif 000057
【図５６】
2005064368.tif 000058
【図５７】
2005064368.tif 000059
【図５８】
2005064368.tif 000060
【図５９】
2005064368.tif 000061
【図６０】
2005064368.tif 000062
【図６１】
2005064368.tif 000063
【図６２】
2005064368.tif 000064
【図６３】
2005064368.tif 000065
【図６４】
2005064368.tif 000066
【図６５】
2005064368.tif 000067
【図６６】
2005064368.tif 000068
【図６７】
2005064368.tif 000069
【図６８】
2005064368.tif 000070